(57)【特許請求の範囲】
【請求項１】
１０〜２００μｍ幅の濃色に着色された線のみによって直列でかつ連続的又は不連続的に構成される同一又は異なる形状の基準図形群を、隣接する前記基準図形同士の最接近間隔が３００μｍ以下となる部分を有するように透明基板上に散布状に配置して透過光遮蔽紋様を形成し、前記透過光遮蔽紋様が局部的には光の透過量が位置によって不均一となるようにランダムに配置されるとともに広域的には均等な分散率で配置されるようにしたことを特徴とするソフトフォーカスフィルター。
【請求項２】
前記基準図形を所定の鏡像非対称形状となるように構成し、複数の鏡像非対称形状の前記基準図形を最接近間隔が３００μｍ部分を有するように連続的に配置したことを特徴とする請求項１に記載のソフトフォーカスフィルター。
【請求項３】
前記基準図形は交差部分のない輪郭のみを有することを特徴とする請求項２に記載のソフトフォーカスフィルター。
【請求項４】
前記基準図形は環状に閉じた大きさの異なる複数の図形を大きさの順に内部に包囲させた図形群から構成されていることを特徴とする請求項２又は３に記載のソフトフォーカスフィルター。
【請求項５】
前記基準図形は渦巻形状であることを特徴とする請求項２又は３に記載のソフトフォーカスフィルター。
【請求項６】
１０〜２００μｍ幅の同一又は異なる形状の点群を、隣接する前記点同士の最接近間隔が３００μｍ以下となる部分を有するように透明基板上に散布状に配置して透過光遮蔽紋様を形成し、前記透過光遮蔽紋様が局部的には光の透過量が位置によって不均一となるようにランダムに配置されるとともに広域的には均等な分散率で配置されるようにしたことを特徴とするソフトフォーカスフィルター。
【請求項７】
前記点群は所定の鏡像非対称形状となるように構成された交差部分のない輪郭からなる図形形状に沿って配列されることを特徴とする請求項６に記載のソフトフォーカスフィルター。
【発明の詳細な説明】
【技術分野】
【０００１】
本発明はカメラのレンズ前面に装着して画像又は映像の輪郭線の周囲に光や影がにじむような効果を与えるために使用するソフトフォーカスフィルターに関するものである。
【背景技術】
【０００２】
カメラで撮影した画像（又は映像）に特殊効果を与えるために使用するフィルターとしてソフトフォーカスフィルターがある。これは画像（又は映像）の輪郭線の周囲に光や影がにじむ（ぼかす）ような効果を与えることができるもので、像を柔らかく（つまりソフトに）することができるためソフトフォーカスフィルターと呼ばれている。
このようなソフトフォーカスフィルターの一例として特許文献１及び２を挙げる。ソフトフォーカスフィルターは意図的に屈折による球面収差を付与することでソフト効果を得るものであるが、一般的にこの特許文献１（特に段落０００３）にあるようにガラス表面にサンドブラスト処理を施してレモンピール状の凹凸面や梨地面（つまり粗い曇りガラス状）とすることで構成される。
特許文献２は簡易なソフトフォーカスフィルターといえるもので、網目の布をフィルター代わりにレンズの前面に配置して光の回折効果を利用して光や影のにじみを付与するものである。
【先行技術文献】
【特許文献】
【０００３】
【特許文献１】特開２００５−５５４９１号公報
【特許文献２】特開平１１−３８５００号公報
【発明の概要】
【発明が解決しようとする課題】
【０００４】
しかしながら、特許文献１のようなソフトフォーカスフィルターは基本的に光の拡散（散乱）と屈折を利用して透過する光をにじませるものであって、いわゆるハイキーな調子のにじみを得ることしかできず、影をにじませる作用はないものである。また、特許文献２のように網をフィルターとして使用する場合では同じ調子の繰り返しの網目によって干渉が生じて多重像が生じてしまうという欠点がある。
そのため、これらのような従来のフィルターにおける欠点を解決するソフトフォーカスフィルター、つまり、光も影もにじませることができ、多重像が生じることもないソフトフォーカスフィルターが求められていた。
本発明は、このような従来の技術に存在する問題点に着目してなされたものである。本発明の目的は、光も影もにじませることができ、多重像が生じにくいソフトフォーカスフィルターを提供することにある。
【課題を解決するための手段】
【０００５】
上記課題を解決するために手段１では、１０〜２００μｍ幅の線によって直列でかつ連続的又は不連続的に構成される同一又は異なる形状の基準図形群を、隣接する前記基準図形同士の最接近間隔が３００μｍ以下となる部分を有するように透明基板上に散布状に配置して透過光遮蔽紋様を形成し、前記透過光遮蔽紋様が局部的には光の透過量が位置によって不均一となるようにランダムに配置されるとともに広域的には均等な分散率で配置されるようにしたことをその要旨とする。
このように透明基板上に基準図形群を散布状に配置して透過光遮蔽紋様を形成すると、１０〜２００μｍ幅の線と最接近間隔が３００μｍ以下となる部分との小さな透過孔によって回折及び干渉現象が生じるため、回折像が光や影がにじむ一種のぼかし効果を基本画像の周囲に与えることとなる。一方、回折現象に伴って回折像が重なることで干渉が生じるが、透過光遮蔽紋様が局部的には光の透過量が位置によって不均一となるようにランダムに配置されるため、干渉が生じても規則的ではなく多重像が発生しにくくなる。
このような構成によって、ソフトフォーカスフィルターに光をにじませるだけでなく、影の部分をもにじませるような効果を与えることができるとともに、多重像が発生しにくく全体としてきれいな「ぼけ」の効果を得ることができる。
【０００６】
ここに「１０〜２００μｍ幅の線」としたのは、２００μｍよりも太い線であると線自体が影として撮像に写りこんでしまう可能性があるからである。１０μｍよりも細い線であると回折効果が画像に及ぼす割合が小さくなり、ソフト効果が極めて微弱となるためである。
また、「線は直列でかつ連続的又は不連続的に構成される同一又は異なる形状の基準図形群」であるが、これはある図形を線で表現する場合に途切れている部分があっても線がすべてつながっているような形態であってもよいことを意味する。同じ基準図形を組み合わせても異なる基準図形を組み合わせてもよい。
また、「最接近間隔が３００μｍ以下」としたのは３００μｍ以下に接近した部分によって回折像の相互干渉が生じるためである。
また、「透過光遮蔽紋様」とは基準図形群を散布状に配置して基準図形位置において基本的に光の透過を遮蔽し、それ以外の部分で透過を許容するような平面的な模様をいう。
また、「透過光遮蔽紋様が局部的には光の透過量が位置によって不均一となるようにランダムに配置されるとともに広域的には均等な分散率で配置される」ようにするのは、基準図形群を局部的には光の透過量が位置によって不均一とすることで上記の多重像の発生を防止するとともに、広域的には均等な分散率で配置することでフィルターとしての均等な効果を得るようにしたものである。
透明基板としては、ガラスの他、硬質の透明プラスチックを使用することが可能である。透過光遮蔽紋様は透明基板上へ印刷、真空蒸着、蝕刻等で形成させることが可能である。このような手法で透過光遮蔽紋様を形成することができるので、様々な紋様を簡単に透明基板に形成させることが可能である。また、基材に反射防止のためのコーティングを施したり、形成した透過光遮蔽紋様を保護被膜で覆うようにしてもよい。
また、本発明はソフトフォーカスフィルターであるが、コントラスト低減フィルタとして使用することも念頭においている。
【０００７】
また、手段２では、前記基準図形を所定の鏡像非対称形状となるように構成し、複数の鏡像非対称形状の前記基準図形を最接近間隔が３００μｍを部分を有するように連続的に配置したことをその要旨とする。
このような構成とすることで上記作用に加えて、「基準図形群が局部的には光の透過量が位置によって不均一となるようにランダムに配置されるとともに広域的には均等な分散率で配置される」ことを容易に実現することが可能となる。基準図形群を局部的に光の透過量が位置によって不均一とする場合に基準図形が鏡像対称形状であると、同じ基準図形を連続的に配置すると向きを考えなければ局部的には光の透過量が位置によって不均一とならない場合がある。そのため、基準図形を所定の鏡像非対称形状となるように構成することで容易に局部的にはの透過量が位置によって不均一となるようにするものである。そして、そのような鏡像非対称形状の基準図形を広域的に均等な分散率で散布状に配置させることでフィルターとしての均等な効果を得ることが可能となる。
【０００８】
また、手段３では、前記基準図形は交差部分のない輪郭のみを有することをその要旨とする。
交差部分があるとその部分の見かけ上の面積が大きくなり撮像に写りこんでしまう可能が増すからである。理論的には交差部分の最大幅が２００μｍを超えなければ本発明が適用している写真撮影の光学系の実用範囲では写りこむ可能性は低い。
【０００９】
また、手段４では、前記基準図形は環状に閉じた大きさの異なる複数の図形を大きさの順に内部に包囲させた図形群から構成されていることをその要旨とする。
これは真円を中心をずらして配置させるような下記具体的な実施例を想定している。このような図形群は全体として鏡像非対称形状であるため、散布状に配置することが容易である。また、真円以外の形状を大きさの順に内部に包囲させるようにしてもよい。
また、手段５では、前記基準図形は渦巻形状であることをその要旨とする。
これも下記具体的な実施例を想定している。
【００１０】
また、手段６では、１０〜２００μｍ幅の同一又は異なる形状の点群を、隣接する前記点同士の最接近間隔が３００μｍ以下となる部分を有するように透明基板上に散布状に配置して透過光遮蔽紋様を形成し、前記透過光遮蔽紋様が局部的には光の透過量が位置によって不均一となるようにランダムに配置されるとともに広域的には均等な分散率で配置されるようにしたことをその要旨とする。
このように透明基板上に基準図形群を散布状に配置して透過光遮蔽紋様を形成すると、１０〜２００μｍ幅の点群と最接近間隔が３００μｍ以下となる部分との小さな透過孔によって回折及び干渉現象が生じるため、回折像が光や影がにじむ一種のぼかし効果を基本画像の周囲に与えることとなる。一方、回折現象に伴って回折像が重なることで干渉が生じるが、透過光遮蔽紋様が局部的には光の透過量が位置によって不均一となるようにランダムに配置されるため、干渉が生じても規則的ではなく多重像が発生しにくくなる。
このような構成によって、ソフトフォーカスフィルターに光をにじませるだけでなく、影の部分をもにじませるような効果を与えることができるとともに、多重像が発生しにくく全体としてきれいな「ぼけ」の効果を得ることができる。
手段１の発明においては線を構成要件としたが、手段６では局部的に光の透過量が位置によって不均一となるようにランダムに配置するために、点群を構成要件とする。点群は密度差によって不均一となるように配置するようにしてもよく、請求項７のように特定の図形輪郭上をなぞるように配置してもよい。
ここに「透過光遮蔽紋様」とは点群を散布状に配置して点位置において光の透過を遮蔽し、それ以外の部分で透過を許容するような平面的な模様をいう。その他、上記段落０００６に記載されている内容は手段６について対応する内容について同様に適用される。
また、手段７では、前記点群は所定の鏡像非対称形状となるように構成された交差部分のない輪郭からなる図形形状に沿って配列されることをその要旨とする。
【００１１】
また、手段８では、前記基準図形は濃色に着色されていることをその要旨とする。
このような構成によって、回折及び干渉現象が実現できる。濃色とは黒色を含む概念である。
また、手段９では、前記基準図形は可視域全般に渡る波長の光線が乱反射された色に着色されていることをその要旨とする。
このような構成によって、回折及び干渉現象が実現できると同時に、散乱現象が生じるため、若干ハイライトが強調されたぼかし加減のソフトフォーカスフィルターを得ることができる。「可視域全般に渡る波長の光線が乱反射された色」とは白〜白交じりの彩度のある色が挙げられる。
【発明の効果】
【００１２】
本発明では、光も影もにじませることができ、多重像が生じることもないソフトフォーカスフィルターを提供することが可能となる。
【図面の簡単な説明】
【００１３】
【図１】本発明の実施の形態のソフトフォーカスフィルターのカメラに対する使用方法を説明する説明図。
【図２】基準図形の一例を説明する説明図。
【図３】（ａ）〜（ｃ）は透過光遮蔽紋様の一例を説明する説明図。
【図４】（ａ）はソフトフォーカスフィルターを使用しない通常のレンズのみでの画像（ｂ）は実施例１の透過光遮蔽紋様を使用したソフトフォーカスフィルターによる画像。
【図５】実施例２における基準図形の一例を説明する説明図。
【発明を実施するための形態】
【００１４】
以下、本発明の具体的な実施の形態及び実施例について図面に基づいて説明する。
本実施の形態は図１に示すようにカメラ１０のレンズ１１の先端に取り付けて使用するソフトフォーカスフィルター１２である。ソフトフォーカスフィルター１２は透明基板としての円板形状のガラス１３とガラス１３の全外周を保持させたフレーム枠１４から構成されている。フレーム枠１４にはレンズ１１に螺合させるための図示しない雌ネジが形成されている。取り付け時にレンズ側（内側）となるガラス１３表面には印刷によって透過光遮蔽紋様１５が形成されている。ソフトフォーカスフィルター１２はレンズ１１の前端外周に形成された雄ネジに対して螺合されて使用される。
以下、実施例としてこのようなソフトフォーカスフィルター１２のガラス１３表面に形成される透過光遮蔽紋様１５について説明する。
【００１５】
（実施例１）
本実施例１では、図２に示すような径の異なる５種類の真円を自身よりも大きな径の円に内包されるように、かつ隣接する径の大きさ同士において中心をずらした状態で非接触状態となるように配置した多数の基準図形Ｂ１を使用している。５種類の真円の径のサイズはフィボナッチ級数に基づいて設計した（他の設計手法でも構わない）。基準図形Ｂを縦横に近接配置させてかつ、２つの小円を基準とするサブ図形Ｂ２を４つの基準図形Ｂ１によって包囲される空間に配置して黒色で透過光遮蔽紋様１５を形成した（図３（ａ））。
サブ図形Ｂ２は径の異なる２つの真円を基準とし、以下の４種類が用意され、ランダムに選択される。
１）中心をずらした状態で非接触状態で配置したもの
２）ずらさない状態で非接触状態で配置したもの
３）１）又は２）でその中心に小黒点を配置したもの
４）１）又は２）でその中心に小黒点を配置しないもの
基準図形Ｂ１及びサブ図形Ｂ２を構成する線の太さは９０μｍ、基準図形Ｂ１を構成する円の径は大きいほうから順に３．５ｍｍ、２．８ｍｍ、２．１ｍｍ、１．４ｍｍ、０．５ｍｍ、サブ図形Ｂ２を構成する円の径は大きいほうから１．４ｍｍ、０．５ｍｍ、０．１ｍｍ、基準図形Ｂ１同士の最も接近した位置の間隔は２０μｍである。
このような透過光遮蔽紋様１５を透明なガラスに印刷していくつかの条件で撮影したところ良好な効果が得られた。図４（ａ）は実施例１を使用しないで撮影した画像の例であり、図４（ｂ）は実施例１を使用した例である。
【００１６】
（実施例２）
実施例２では実施例１と同じ輪郭の基準図形Ｂ１とサブ図形Ｂ２によって実施例１と同様の配列パターンで黒色で透過光遮蔽紋様１５を形成した（図３（ｂ））。実施例２では実施例１と異なり線分を破線で表現した。１線分の長さは３００μｍ、破線の間隔は３００μｍである。このような透過光遮蔽紋様１５を透明なガラスに印刷していくつかの条件で撮影したところ実施例１と同様に良好な効果が得られた。
（実施例３）
実施例３では実施例１及び２と同じ輪郭の基準図形Ｂ１とサブ図形Ｂ２によって実施例１と同様の配列パターンで黒色で透過光遮蔽紋様１５を形成した（図３（ｃ））。実施例３では実施例２と同様に破線で表現した。しかし、実施例３では１線分の長さが７００μｍ、破線の間隔は８００μｍであり、実際には点描の密度を変えて透過光遮蔽紋様１５を表現したものと考えよい。このような透過光遮蔽紋様１５を透明なガラスに印刷していくつかの条件で撮影したところ実施例１及び２と同様に良好な効果が得られた。
【００１７】
（実施例４）
実施例４では実施例１と同じ透過光遮蔽紋様１５を白色で表現した。このような透過光遮蔽紋様１５を透明なガラスに印刷して撮影したところ実施例１及び２と同様に良好な効果が得られた。但し、上記各実施例よりもハイライト側がいくぶん強調された効果が得られた。
（実施例５）
実施例５では図５に示すような螺旋（渦巻き）の間隔が異なるフェルマーの螺旋（の中央寄り）を使用した基準図形Ｂ１を実施例１と同様に配置した。線の太さは実施例１と同様である。４つの基準図形Ｂ１によって包囲される空間に実施例１と同じサブ図形Ｂ２を配置して黒色で透過光遮蔽紋様１５を形成した。このような透過光遮蔽紋様１５を透明なガラスに印刷していくつかの条件で撮影したところ実施例１〜３と同様に良好な効果が得られた。
【００１８】
(比較例１）
線径３０μｍのステンレス製の金網をフィルターとみなしてメッシュ１００（１００本／インチ＝２５４μｍ）で上記実施例と同じ条件で撮影したところ、点光源が視野内にある場合に多重像の発生が見られた。
(比較例２）
透明ガラスの表面に微細な凹凸を形成させたソフトフォーカスフィルターとしてマルミ光機株式会社製「フォギライザー」を上記実施例と同じ条件で撮影したところハイライトのみによってぼけ（にじみ）作用が得られた。
【００１９】
尚、この発明は、次のように変更して具体化することも可能である。
・上記実施例では透過光遮蔽紋様１５は黒色又は白色の印刷で形成するようにしていたが、これら以外の色を単一又は複数で使用することも可能である。また、形成手段として印刷以外の真空蒸着、蝕刻等で形成するようにしてもよい。
また印刷色として透明色を使用することも可能である。透明な樹脂を印刷用基材として使用することで基材との屈折率差、図形の厚みによるレンズ効果を生じ、屈折を主体としたぼかしを加味することができるからである。
・ガラスに反射防止のためのコーティングを施したり、形成し透過光遮蔽紋様１５を保護被膜で覆うようにしてもよい。
・単層の印刷等ではなく、重ねて図形形成を行なったり基材の両面に図形を配置するなど重層的な構造をとることも自由である。
・上記各実施例の基準図形Ｂ１の形状は一例である。
・上記各実施例の線分のサイズや基準図形Ｂ１の配置間隔は一例であって、他の態様で透過光遮蔽紋様１５を形成することも可能である。
・基準図形Ｂ１として上記のような複雑な鏡像非対称形状だけでなく、単純な直線や円を使用してそれを局部的には光の透過量が位置によって不均一となるようにランダムに配置されるとともに広域的には均等な分散率で配置されるようにしてもよい。
・実施例１では基準図形Ｂ１サブ図形Ｂ２を真円の組み合わせで構成したが、真円以外の「閉じた平面形状」で構成するようにしてもよい。
・閉じてなく、かつ交差しない線分の鏡像非対称形状として実施例５のようなフェルマーの螺旋を挙げたが、その他の等間隔ではない螺旋として放物線螺旋や双曲線螺旋のように代数で表現できる螺旋を用いることも可能である。また、螺旋を複数組み合わせるようにしてもよい。
その他本発明はその趣旨を逸脱しない態様で変更して実施することは自由である。
【符号の説明】
【００２０】
１２…ソフトフォーカスフィルター、１３…透明基板としてのガラス、１５…透過光遮蔽紋様、Ｂ１…基準図形。
【図１】
0006035546.tif 000002
【図２】
0006035546.tif 000003
【図３】
0006035546.tif 000004
【図５】
0006035546.tif 000005
【図４】
0006035546.tif 000006